Podtech/llm-jp-corpus-v4-ja_patent huggingface dataset:
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
機能的ヒトオルニチントランスカルバミラーゼ（ｈＯＴＣ）タンパク質をコードする配列を含んでなる核酸分子であって、配列番号１の野生型ｈＯＴＣ配列と８０％未満の同一性であり、かつ、前記配列が配列番号５を含む核酸配列及び前記核酸配列と少なくとも９６％の同一性の核酸配列から選択される、核酸分子。
【請求項２】
請求項１に記載の核酸分子であって、前記機能的ｈＯＴＣタンパク質が、前記配列番号５の配列を有する、核酸分子。
【請求項３】
請求項１に記載の核酸分子であって、前記機能的ｈＯＴＣタンパク質をコードする配列が配列番号３又は配列番号４の配列を有する、核酸分子。
【請求項４】
発現カセットを含有するプラスミドであって、ＡＡＶ５’逆位末端反復（ＩＴＲ）配列と、ｈＯＴＣ核酸配列と、発現制御配列と、ＡＡＶ３’ＩＴＲ配列を含んでなり、ここで、
前記ｈＯＴＣ核酸配列が機能的ｈＯＴＣタンパク質をコードし、配列番号１の野生型ｈＯＴＣ配列と８０％未満の同一性であり、かつ、前記ｈＯＴＣ核酸配列が配列番号５を含む核酸配列及び前記核酸配列と少なくとも９６％の同一性の核酸配列から選択される、プラスミド。
【請求項５】
請求項４に記載のプラスミドであって、前記ｈＯＴＣ核酸配列が配列番号５の配列を有する、プラスミド。
【請求項６】
請求項４に記載のプラスミドであって、前記ｈＯＴＣ核酸配列が配列番号３又は配列番号４の配列を有する、プラスミド。
【請求項７】
請求項４に記載のプラスミドであって、前記ｈＯＴＣ核酸配列が配列番号５の天然のトランジット配列を置換する異種トランジット配列を含むキメラｈＯＴＣ核酸配列である、プラスミド。
【請求項８】
請求項４に記載のプラスミドであって、前記発現制御配列が肝臓特異的プロモーターを含む、プラスミド。
【請求項９】
請求項８に記載のプラスミドであって、前記肝臓特異的プロモーターがチロキシン結合グロブリン（ＴＢＧ）プロモーターである、プラスミド。
【請求項１０】
請求項４に記載のプラスミドであって、  前記発現カセットがイントロン、コザック配列、ポリＡ、および転写後調節エレメントのうちの１種以上をさらに含む、プラスミド。
【請求項１１】
請求項４に記載のプラスミドであって、ＡＡＶ５’ＩＴＲ及びＡＡＶ’３  ＩＴＲがＡＡＶ２からのものである、プラスミド。
【請求項１２】
請求項４に記載のプラスミドであって、前記発現カセットが１種以上のエンハンサーを含む、プラスミド。
【請求項１３】
請求項１２に記載のプラスミドであって、前記エンハンサーがアルファ１ミクログロブリン／ビクニン (アルファｍｉｃ／ｂｉｋ）エンハンサーを含む、プラスミド。
【請求項１４】
請求項４に記載のプラスミドを含む産生細胞株又はパッケージング細胞株。
【請求項１５】
Ｄ−配列と末端分解配列の欠失されているＡＡＶ２  ３’ＩＴＲ及びＡＡＶ２  ５’ＩＴＲを含み、チロキシン結合グロブリン(ＴＢＧ)プロモーター配列と配列番号５の核酸配列とＳＶ４０ポリＡ配列を含む、ベクターゲノムを含んでなるプラスミド。
【請求項１６】
請求項１５に記載のプラスミドを含む産生細胞株又はパッケージング細胞株。
【手続補正書】
【提出日】令和3年5月26日(2021.5.26)
【手続補正１】
【補正対象書類名】明細書
【補正対象項目名】０００７
【補正方法】変更
【補正の内容】
【０００７】
（１）本発明は、遊技媒体が移動する遊技領域を備えた遊技機であって、設定を記憶する設定記憶手段と、前記設定記憶手段に記憶される設定を変更する設定変更手段と、前記設定記憶手段に記憶されている設定に応じた確率で遊技抽選を行う抽選手段と、前記遊技抽選の結果に応じて演出表示装置において演出図柄を変動させた後に仮停止させてから、前記遊技抽選の結果に応じた態様で演出図柄を停止させる演出制御手段を備え、前記演出制御手段は、前記設定記憶手段に記憶されている設定、および前記設定記憶手段に記憶される設定が変更されたか否かの少なくとも一方に応じて、仮停止させる演出図柄の態様を決定する場合があることを特徴とする遊技機に関するものである。
【手続補正２】
【補正対象書類名】明細書
【補正対象項目名】０００８
【補正方法】変更
【補正の内容】
【０００８】
本発明では、仮停止させる演出図柄の態様によって設定および設定が変更されたか否かの少なくとも一方を示唆することができる。
【手続補正３】
【補正対象書類名】明細書
【補正対象項目名】０００９
【補正方法】変更
【補正の内容】
【０００９】
（２）また本発明は、前記演出制御手段は、遊技機の電源が投入されてから所定回数の前記遊技抽選が行われるまで、前記設定記憶手段に記憶されている設定、および前記設定記憶手段に記憶される設定が変更されたか否かの少なくとも一方に応じて、仮停止させる演出図柄の態様を特定の態様となるように決定する場合があるようにしてもよい。
【手続補正４】
【補正対象書類名】明細書
【補正対象項目名】００１０
【補正方法】変更
【補正の内容】
【００１０】
このようにすれば、遊技機の電源が投入されてから所定回数の遊技抽選が行われるまで、仮停止させる演出図柄の態様によって設定および設定が変更されたか否かの少なくとも一方を示唆することができる。
【手続補正５】
【補正対象書類名】特許請求の範囲
【補正対象項目名】全文
【補正方法】変更
【補正の内容】
【特許請求の範囲】
【請求項１】
遊技媒体が移動する遊技領域を備えた遊技機であって、
設定を記憶する設定記憶手段と、
前記設定記憶手段に記憶される設定を変更する設定変更手段と、
前記設定記憶手段に記憶されている設定に応じた確率で遊技抽選を行う抽選手段と、
前記遊技抽選の結果に応じて演出表示装置において演出図柄を変動させた後に仮停止させてから、前記遊技抽選の結果に応じた態様で演出図柄を停止させる演出制御手段を備え、
前記演出制御手段は、
前記設定記憶手段に記憶されている設定、および前記設定記憶手段に記憶される設定が変更されたか否かの少なくとも一方に応じて、仮停止させる演出図柄の態様を決定する場合があることを特徴とする遊技機。
【請求項２】
請求項１において、
前記演出制御手段は、
遊技機の電源が投入されてから所定回数の前記遊技抽選が行われるまで、前記設定記憶手段に記憶されている設定、および前記設定記憶手段に記憶される設定が変更されたか否かの少なくとも一方に応じて、仮停止させる演出図柄の態様を特定の態様となるように決定する場合があることを特徴とする遊技機。
【手続補正書】
【提出日】令和3年5月26日(2021.5.26)
【手続補正１】
【補正対象書類名】明細書
【補正対象項目名】０００７
【補正方法】変更
【補正の内容】
【０００７】
（１）本発明は、遊技媒体が移動する遊技領域を備えた遊技機であって、設定を記憶する設定記憶手段と、前記設定記憶手段に記憶される設定を変更する設定変更手段と、前記設定記憶手段に記憶されている設定に応じた確率で遊技抽選を行う抽選手段と、前記遊技抽選の結果に応じて演出音出力装置に演出音を出力させる演出制御手段を備え、前記演出制御手段は、前記設定記憶手段に記憶されている設定、および前記設定記憶手段に記憶される設定が変更されたか否かの少なくとも一方に応じて、前記演出音出力装置に特定の演出音を出力させる場合があることを特徴とする遊技機に関するものである。
【手続補正２】
【補正対象書類名】明細書
【補正対象項目名】０００８
【補正方法】変更
【補正の内容】
【０００８】
本発明では、演出音出力装置に出力させる特定の演出音によって設定および設定が変更されたか否かの少なくとも一方を示唆することができる。
【手続補正３】
【補正対象書類名】明細書
【補正対象項目名】０００９
【補正方法】変更
【補正の内容】
【０００９】
（２）また本発明は、遊技媒体が移動する遊技領域を備えた遊技機であって、設定を記憶する設定記憶手段と、前記設定記憶手段に記憶される設定を変更する設定変更手段と、前記設定記憶手段に記憶されている設定に応じた確率で遊技抽選を行う抽選手段と、前記遊技抽選の結果に応じて可動物を動作させる演出制御手段を備え、前記演出制御手段は、前記設定記憶手段に記憶されている設定、および前記設定記憶手段に記憶される設定が変更されたか否かの少なくとも一方に応じて、前記可動物に特定の動作を行わせる場合があることを特徴とする遊技機に関するものである。
【手続補正４】
【補正対象書類名】明細書
【補正対象項目名】００１０
【補正方法】変更
【補正の内容】
【００１０】
本発明では、可動物に行わせる特定の動作によって設定および設定が変更されたか否かの少なくとも一方を示唆することができる。
【手続補正５】
【補正対象書類名】特許請求の範囲
【補正対象項目名】全文
【補正方法】変更
【補正の内容】
【特許請求の範囲】
【請求項１】
遊技媒体が移動する遊技領域を備えた遊技機であって、
設定を記憶する設定記憶手段と、
前記設定記憶手段に記憶される設定を変更する設定変更手段と、
前記設定記憶手段に記憶されている設定に応じた確率で遊技抽選を行う抽選手段と、
前記遊技抽選の結果に応じて演出音出力装置に演出音を出力させる演出制御手段を備え、
前記演出制御手段は、
前記設定記憶手段に記憶されている設定、および前記設定記憶手段に記憶される設定が変更されたか否かの少なくとも一方に応じて、前記演出音出力装置に特定の演出音を出力させる場合があることを特徴とする遊技機。
【請求項２】
遊技媒体が移動する遊技領域を備えた遊技機であって、
設定を記憶する設定記憶手段と、
前記設定記憶手段に記憶される設定を変更する設定変更手段と、
前記設定記憶手段に記憶されている設定に応じた確率で遊技抽選を行う抽選手段と、
前記遊技抽選の結果に応じて可動物を動作させる演出制御手段を備え、
前記演出制御手段は、
前記設定記憶手段に記憶されている設定、および前記設定記憶手段に記憶される設定が変更されたか否かの少なくとも一方に応じて、前記可動物に特定の動作を行わせる場合があることを特徴とする遊技機。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
演出を表示可能な演出表示部と、
遊技者が操作可能な操作部材と、
を備え、
演出表示部にて遊技者に対して遊技者操作を促す促進演出を実行可能に構成されており、
演出表示部にて促進演出が実行されている最中に、遊技者が操作部材を操作することで、当該操作を契機として所定の演出を実行可能に構成されており、
所定の条件を充足することで、演出表示部にて促進演出が実行されている最中に、遊技者が操作部材を操作せずとも、所定時間の経過を契機に演出表示部にて前記所定の演出を実行可能に構成されている
ことを特徴とする遊技機。
【手続補正２】
【補正対象書類名】明細書
【補正対象項目名】０００５
【補正方法】変更
【補正の内容】
【０００５】
本態様に係る遊技機は、
演出を表示可能な演出表示部と、
遊技者が操作可能な操作部材と、
を備え、
演出表示部にて遊技者に対して遊技者操作を促す促進演出を実行可能に構成されており、
演出表示部にて促進演出が実行されている最中に、遊技者が操作部材を操作することで、当該操作を契機として所定の演出を実行可能に構成されており、
所定の条件を充足することで、演出表示部にて促進演出が実行されている最中に、遊技者が操作部材を操作せずとも、所定時間の経過を契機に演出表示部にて前記所定の演出を実行可能に構成されている
ことを特徴とする遊技機。
＜付記＞
尚、本態様とは異なる別態様について以下に列記しておくが、これらには何ら限定されることなく実施することが可能である。
本別態様に係る遊技機は、
遊技の進行に合わせて所定の演出音を出力するスピーカ（例えば、スピーカＤ２４）と、
遊技の進行に合わせて所定の点灯態様にて点灯する電飾ランプ（例えば、遊技効果ランプＤ２６）と、
操作可能な一又は複数の操作部材（例えば、サブ入力ボタンＳＢ）と、
遊技機の電源を投入又は切断可能な電源スイッチ（例えば、電源スイッチＥａ）と
を備え、
所定の操作部材（例えば、サブ入力ボタンＳＢ）の操作状態に基づいて、スピーカ（例えば、スピーカＤ２４）から出力される演出音の音量レベルを調整可能に構成されており、
規定の操作部材（例えば、サブ入力ボタンＳＢ）の操作状態に基づいて、電飾ランプ（例えば、遊技効果ランプＤ２６）の点灯態様を調整可能に構成されており、
特定の操作部材（例えば、ＲＡＭクリアボタン）に特定操作を実行し、且つ、電源スイッチ（例えば、電源スイッチＥａ）を操作して、遊技機の電源を投入した場合に、前記所定の操作部材（例えば、サブ入力ボタンＳＢ）の操作状態に基づいた演出音の音量レベルの調整を実行不可能とする設定に切替可能であるよう構成されており、
特定の操作部材（例えば、ＲＡＭクリアボタン）に特定操作を実行し、且つ、電源スイッチ（例えば、電源スイッチＥａ）を操作して、遊技機の電源を投入した場合であっても、前記規定の操作部材（例えば、サブ入力ボタンＳＢ）の操作状態に基づいた電飾ランプ（例えば、遊技効果ランプＤ２６）の点灯態様の調整を実行不可能とする設定に切替不可能であるようよう構成されており、
識別情報の停止表示中において、演出音の音量レベルを調整可能に構成されており、
識別情報の停止表示中において、電飾ランプ（例えば、遊技効果ランプＤ２６）の点灯態様を調整可能に構成されており、
識別情報の変動表示中において、演出音の音量レベルを調整可能に構成されている
ことを特徴とする遊技機である。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
吸引を選択的に制御するための、流体工学システムのための吸引回路であって、
外科用器具へ動作可能に接続された吸引ラインと、
排泄物容器へ動作可能に接続された吸引排出ラインと、
第１の端部において前記吸引ラインへ接続された吸引ベントラインと、
前記吸引ベントラインへ動作可能に接続された選択的可変型のベント弁と、
前記外科用器具へ動作可能に接続された潅注ラインと、
前記潅注ライン内の潅注圧力を検出するように配置された潅注圧力センサーと、
前記ベント弁へ動作可能に接続されたアクチュエータと
を含み、
前記可変型のベント弁を選択的に移動させることにより、前記吸引ライン内の吸引圧力を選択的に変化させることができ、
前記潅注圧力センサーおよびアクチュエータはコントローラへと接続され、
前記コントローラは、前記吸引ライン内の吸引圧力を変化させるべく、前記潅注圧力センサーによって検出された圧力に応じて、前記アクチュエータを起動させて前記ベント弁を移動させるように動作可能であり、
前記ベント弁は回転弁であり、入力開口部と、出力開口部と、該入力開口部を該出力開口部へ接続させる経路とをさらに含み、
前記ベント弁を選択的に回転させることにより、前記吸引ベントラインと少なくとも部分的に連通する位置に選択的に前記経路を配置し、
前記外科用器具は外科用ハンドピースであり、前記潅注圧力センサーは前記外科用ハンドピース内に配置され、
前記コントローラは、前記潅注圧力センサーからの情報を使用して閉塞破壊の開始を検出し、前記アクチュエータを起動させて前記ベント弁を移動させることによって前記吸引ライン内の吸引圧力を低下させるように構成され、
前記アクチュエータは角度位置エンコーダを有する、
吸引回路。
【請求項２】
前記吸引ベントラインは、第２の端部において前記吸引排出ラインへ接続される、請求項１に記載の吸引回路。
【請求項３】
前記吸引ベントラインは、第２の端部において大気へ接続される、請求項１に記載の吸引回路。
【請求項４】
前記吸引ベントラインは、第２の端部において加圧流体または生理食塩水のベント圧源へ接続される、請求項１に記載の吸引回路。
【請求項５】
前記吸引ベントラインは、第２の端部において前記潅注ラインへ接続される、請求項１に記載の吸引回路。
【請求項６】
吸引圧力センサーをさらに含み、前記吸引圧力センサーは、前記吸引ラインへ動作可能に接続され、
前記吸引圧力センサーは、前記コントローラへと接続され、
前記コントローラは、さらに、前記吸引ライン内の吸引圧力を変化させるべく、前記吸引圧力センサーによって検出された所定の圧力値に応じて、前記アクチュエータを起動させて前記ベント弁を移動させるように動作可能である、
請求項１に記載の吸引回路。
【請求項７】
前記アクチュエータはモータである、請求項６に記載の吸引回路。
【請求項８】
前記可変型のベント弁は、前記潅注ラインへ動作可能に接続され、これにより、前記可変型のベント弁を選択的に移動させて、前記潅注ライン内における流体流れを選択的に遮断し、前記吸引ライン内の吸引圧力を選択的に変化させる、請求項１に記載の吸引回路。
【請求項９】
前記可変型のベント弁内には、第１の流れ経路および第２の流れ経路が形成され、前記第１の流れ経路は、潅注供給ラインおよび前記潅注ラインと選択的にかつ少なくとも部分的にアライメントされて、前記潅注ラインを潅注供給源へと開口させ、前記第２の流れ経路は、前記吸引ベントラインを介して前記吸引ラインおよび前記吸引排出ラインと選択的にかつ少なくとも部分的にアライメントされて、前記吸引ライン内の吸引圧力を選択的に変化させる、請求項８に記載の吸引回路。
【請求項１０】
前記潅注ラインは潅注源から前記外科用器具に潅注流体を提供する、請求項１に記載の吸引回路。
【請求項１１】
前記コントローラは、前記吸引圧力センサーからの情報を使用して閉塞破壊の開始を検出し、前記アクチュエータを起動させて前記ベント弁を移動させることによって前記吸引ライン内の吸引圧力を低下させるように構成される、請求項６に記載の吸引回路。
【請求項１２】
吸引圧力は吸引ポンプの一方向回転によって前記吸引ラインに提供される、請求項１に記載の吸引回路。
【請求項１３】
前記選択可変型のベント弁は、さらに、フットスイッチから受信した入力に応じて前記吸引ライン内の圧力を変更するように制御される、請求項１に記載の吸引回路。
【請求項１４】
所定の閾値が前記システム内に設定され、前記ベント弁は、前記圧力センサーからの圧力読み取り値が前記所定の閾値を超えたときに、前記吸引ライン内の吸引圧力を低下させるように所定の量だけ移動される、請求項１に記載の吸引回路。
【請求項１５】
前記アクチュエータは、可変オリフィスサイズを提供すべく前記ベント弁を移動させて、前記吸引ライン内の吸引を選択的に調節するように構成される、請求項１に記載の吸引回路。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
乗物用シートのフレームであり、乗員が着座する着座部のフレームである着座フレームに支持されたシートバックフレームであって、
前記シートバックフレームは、左右に離間して配置されたサイドフレームと、左右の前記サイドフレームの下部の間に渡されるように配置され、左右の前記サイドフレームを接続する下部接続部材とを備え、
前記下部接続部材は、乗員側に配置される前壁部と、前記前壁部の後方に繋がった後壁部であって、前記サイドフレームに接続された後壁部と、前記前壁部と、前記前壁部と前記後壁部とを繋ぐ上壁部と、を有する板金からなり、
前記下部接続部材の前壁部の前端は、左右の前記サイドフレームの間に配置された受圧部材の下端よりも前に位置することを特徴とするシートバックフレーム。
【請求項２】
前記前壁部の端部は、自由端であることを特徴とする請求項１に記載のシートバックフレーム。
【請求項３】
前記シートバックフレームは、前記着座フレームに対してリクライニング可能に構成され、
前記シートバックフレームの回動軸上に、左右のサイドフレームを繋ぐシャフトが配置され、
前記前壁部は、前記シャフトの前方に位置することを特徴とする請求項１または請求項２に記載のシートバックフレーム。
【請求項４】
前記前壁部の前端は、前記シャフトの前方に位置することを特徴とする請求項３に記載のシートバックフレーム。
【請求項５】
前記シャフトは、前記受圧部材の下端より前に位置することを特徴とする請求項３または請求項４に記載のシートバックフレーム。
【請求項６】
前記前壁部の前端は、前記シャフトの上端よりも下に位置することを特徴とする請求項３から請求項５のいずれか１項に記載のシートバックフレーム。
【請求項７】
前記シャフトの上端は、前記受圧部材の下端よりも下に位置することを特徴とする請求項３から請求項６のいずれか１項に記載のシートバックフレーム。
【請求項８】
左右方向において、前記前壁部の寸法は、前記受圧部材の寸法よりも大きいことを特徴とする請求項１から請求項７のいずれか１項に記載のシートバックフレーム。
【請求項９】
請求項１から請求項８のいずれか１項に記載のシートバックフレームと、
前記シートバックフレームを支持する着座フレームと、を備えることを特徴とするシートフレーム。
【請求項１０】
請求項９に記載のシートフレームと、
前記シートフレームの外側に設けられたクッションと、
前記クッションの表面を覆う表皮と、を備えることを特徴とする乗物用シート。
【手続補正２】
【補正対象書類名】明細書
【補正対象項目名】発明の名称
【補正方法】変更
【補正の内容】
【発明の名称】シートバックフレーム、シートフレームおよび乗物用シート
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
軸と、押圧部材と、を備え、前記押圧部材によりシートに形成された折り目を押圧するシート処理装置であって、
前記押圧部材は、前記軸の回転により前記折り目を押圧する位置が前記軸の軸方向において順次異なるように配置された接触部を有し、
前記軸を中心とする前記押圧部材の回転により、前記接触部は、前記折り目を構成する２つのシート面のうち、前記軸に近い方のシート面の側から前記折り目に進入することを特徴とするシート処理装置。
【請求項２】
前記押圧部材は、前記折り目を折り目方向へ順次押圧する、請求項１に記載のシート処理装置。
【請求項３】
前記押圧部材は、前記折り目の全域にわたって隙間なく押圧する、請求項１又は２に記載のシート処理装置。
【請求項４】
シートを挟んで前記押圧部材の反対側の位置で前記シートに当接するシート当接部材を備える、請求項１乃至３のいずれか１項に記載のシート処理装置。
【請求項５】
前記接触部と前記シート当接部材とは重力方向に対して、前記接触部が下側で前記シート当接部材が上側となるように配置されている、
請求項４に記載のシート処理装置。
【請求項６】
前記接触部は、前記軸の軸方向に沿って複数配置されている、請求項１乃至５のいずれか１項に記載のシート処理装置。
【請求項７】
前記接触部は、弾性部材を介して前記軸に配置されている、請求項１乃至請求項６のいずれか一項に記載のシート処理装置。
【請求項８】
前記シートの折り目を押圧するとき、当該シートの搬送は停止している、請求項１乃至７のいずれか一項に記載のシート処理装置。
【請求項９】
前記軸の回転方向は一方向である、請求項１乃至８のいずれか一項に記載のシート処理装置。
【請求項１０】
前記接触部を回転させるための駆動力、及び、前記接触部の回転を停止させるための制動力を発生する回転駆動制動部と、
前記回転駆動制動部により発生された前記駆動力のうち、前記接触部を特定の回転方向に回転させるための駆動力のみを前記接触部に伝達し、前記接触部を前記特定の回転方向とは反対方向に回転させるための駆動力を前記接触部から遮断する駆動力遮断部と、を備え、
前記接触部は、前記シートが搬送される方向と直交する方向であって且つシート面に平行な方向を軸として回転することにより、前記折り目を押圧する、
請求項１乃至９のいずれか一項に記載のシート処理装置。
【請求項１１】
前記接触部から遮断された前記駆動力を、他の駆動部に伝達する他駆動伝達部を備える、
請求項１０に記載のシート処理装置。
【請求項１２】
前記駆動力遮断部は、前記接触部が前記シートの前記折り目を押圧する際の回転方向に回転させるための駆動力のみを前記接触部に伝達し、前記接触部をその回転方向とは反対方向に回転させるための駆動力を前記接触部から遮断する、
請求項１０又は１１に記載のシート処理装置。
【請求項１３】
前記シートに画像形成出力を実行する画像形成装置と、
前記画像形成装置により画像が形成された前記シートに前記折り目を形成して、形成された前記折り目を押圧する請求項１乃至１２のいずれか一項に記載のシート処理装置と、
を備えることを特徴とする画像形成システム。
【請求項１４】
軸と、押圧部材と、を備え、前記押圧部材によりシートの折り目を押圧するシート処理装置におけるシート処理方法であって、
前記押圧部材は、前記軸の回転により前記折り目を押圧する位置が前記軸の軸方向において順次異なるように配置された接触部を有し、
前記接触部を、前記軸を中心とする前記押圧部材の回転により、前記折り目を構成する２つのシート面のうち、前記軸に近い方のシート面の側からから前記折り目に進入させることを特徴とするシート処理方法。
【手続補正書】
【提出日】令和3年3月31日(2021.3.31)
【手続補正１】
【補正対象書類名】明細書
【補正対象項目名】００８８
【補正方法】変更
【補正の内容】
【００８８】
ステップＳ９において、制御回路１６は、ＡＣ／ＤＣコンバータ１１から出力される電圧Ｖ０と、インバータ１２のスイッチング周波数ｆｓｗとを通常モードの規定値に設定する。制御回路１６は、ＡＣ／ＤＣコンバータ１１から出力される電圧Ｖ０を、負荷装置２２に供給すべき電圧及び／又は電流の値に応じて決まる予め決められた値に設定する。制御回路１６は、インバータ１２のスイッチング周波数ｆｓｗを、例えば、第２の実施形態で説明するように、受電装置２０の負荷値に対する受電装置２０の出力電圧の依存性が少なくとも局所的に最小化される送電周波数に設定する。このような電圧Ｖ０及びスイッチング周波数ｆｓｗの値を、通常モードの規定値として使用する。ステップＳ１０において、制御回路１６は、通信装置１７を介して受電装置２０に、通常モードへの遷移を要求する信号を送信する。受電装置２０の制御回路２３は、通信装置２４を介して送電装置１０から、通常モードへの遷移を要求する信号を受信したとき、整流回路２１から出力された電圧Ｖ４を負荷装置２２に供給するようにスイッチ回路ＳＷを切り換える。ステップＳ１１において、制御回路１６は、通常モードの送電を開始する。
【手続補正２】
【補正対象書類名】明細書
【補正対象項目名】０１０６
【補正方法】変更
【補正の内容】
【０１０６】
送電装置１０の制御回路１６は、検出器１３，１４（検出回路）によって検出された値に基づいて、受電装置２０の負荷値に対する受電装置２０の出力電圧の依存性が少なくとも局所的に最小化される送電周波数を決定する。本明細書では、このような周波数を「負荷非依存の送電周波数」ともいう。制御回路１６は、決定された周波数を有する送電電力を発生するときに受電装置２０の出力電圧を予め決められた目標電圧にする送電電力の電圧を決定する。制御回路１６は、決定された周波数及び電圧を有する送電電力を発生するようにＡＣ／ＤＣコンバータ１１及びインバータ１２（電源回路）を制御する。
【手続補正３】
【補正対象書類名】明細書
【補正対象項目名】０１０９
【補正方法】変更
【補正の内容】
【０１０９】
第２の実施形態に係る非接触電力伝送システムによれば、前述のように、検出器１３，１４によって検出された値に基づいて、受電装置２０の負荷値に対する受電装置２０の出力電圧の依存性が少なくとも局所的に最小化される送電周波数を決定する。また、第２の実施形態に係る非接触電力伝送システムによれば、前述のように、決定された周波数を有する送電電力を発生するときに受電装置２０の出力電圧を予め決められた目標電圧（すなわち、負荷装置２２の所望電圧）にする送電電力の電圧を決定する。ここで、「送電電力の電圧」は、送電電力の振幅を示す。また、第２の実施形態に係る非接触電力伝送システムによれば、前述のように、決定された周波数及び電圧を有する送電電力を発生するようにＡＣ／ＤＣコンバータ１１及びインバータ１２を制御する。このように、送電装置１０により取得可能な情報のみに基づいて送電装置１０のみを制御することで、受電装置２０の負荷値（負荷装置２２に流れる電流の大きさ）に実質的に依存することなく、負荷装置２２にその所望電圧を供給することができる。受電装置２０の負荷値の変動をモニタリングする必要がないので、受電装置２０から送電装置１０へのフィードバックも不要になり、従って、負荷値の速い変化に追従しやすくなる。また、受電装置に余分な回路（ＤＣ／ＤＣコンバータなど）を設けることを必要としないことにより、受電装置２０のサイズ、重量、及びコストを削減すること、又は少なくとも、増大しにくくすることができる。
【手続補正４】
【補正対象書類名】明細書
【補正対象項目名】０１１２
【補正方法】変更
【補正の内容】
【０１１２】
制御回路１６は、送電コイルＬ１及び受電コイルＬ２の結合率ｋ１２と、負荷非依存の送電周波数との関係を示すテーブル又は計算式を予め格納する。代替として、結合率推定器１５を省略して検出器１３，１４によって検出された値を制御回路１６に直接に入力してもよい。この場合、制御回路１６は、送電コイルＬ１に流れる電流の値と、補助コイルＬ３に発生する電流又は電圧の値のうちの少なくとも一方と、負荷非依存の送電周波数との関係を示すテーブル又は計算式を予め格納してもよい。制御回路１６は、このテーブル又は計算式を参照することにより、受電装置２０の負荷値に対する受電装置２０の出力電圧の依存性が少なくとも局所的に最小化される送電周波数（すなわち、インバータ１２のスイッチング周波数ｆｓｗ）を決定することができる。
【手続補正書】
【提出日】令和3年4月28日(2021.4.28)
【手続補正１】
【補正対象書類名】明細書
【補正対象項目名】００２７
【補正方法】変更
【補正の内容】
【００２７】
フレーム保持部４８及びフレーム固定部５０は、図９に示すように、フレーム保持部４８には、先端部（上端部）に上方に突出する保持ピン４８Ａが設けられ、フレーム固定部５０には、先端部（上端部）にネジ留め（ボルト締め）可能なネジ孔５０Ａが形成されている。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定の結果に基づいて演出用図柄を用いた演出を行う図柄演出実行手段と、
遊技者による所定操作の受付けが許容される受付状態を発生可能であり、該受付状態において受付けがなされると、該受付状態の種別に応じた受付後変化を実行可能な受付状態実行手段と
を備え、
前記受付状態として、第１受付状態及び第２受付状態を含む複数種別の受付状態が用意されており、
前記第１受付状態では、当該状態で受付けがなされると該受付けに応じた前記受付後変化の１つとしての第１受付後表示を実行可能であり、前記演出用図柄は、少なくとも該第１受付後表示が表示されている間、該第１受付後表示よりも優先表示され、
前記第２受付状態では、当該状態で受付けがなされると該受付けに応じた前記受付後変化の１つとしての第２受付後表示を実行可能であり、前記演出用図柄は、少なくとも該第２受付後表示が表示されている間、該第２受付後表示によって視認し難くされる態様で表示されるか、または非表示にされ、
前記第２受付状態における受付けに応じた前記第２受付後表示が表示されているなかで遊技者による所定操作の受付けがなされると、該受付けを契機として、前記第２受付後表示が非表示の状態にされうるようになっており、
前記第２受付状態は、特定ＢＧＭが可聴出力されているなかで発生する場合があるものであり、
さらに、
前記特定ＢＧＭが可聴出力されているなかで前記第２受付状態が発生する場合、該特定ＢＧＭは、当該第２受付状態が発生している途中で非可聴状態にされるようになっており、
さらに、
前記第２受付状態における受付けに応じた前記第２受付後表示が現れている状態では、遊技者による所定操作の対象となる対象物が画像として表現された摸画像表示が表示状態にある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段による判定の結果に基づいて演出用図柄を用いた演出を行う図柄演出実行手段と、
遊技者による所定操作の受付けが許容される受付状態を発生可能であり、該受付状態において受付けがなされると、該受付状態の種別に応じた受付後変化を実行可能な受付状態実行手段と
を備え、
前記受付状態として、第１受付状態及び第２受付状態を含む複数種別の受付状態が用意されており、
前記第１受付状態では、当該状態で受付けがなされると該受付けに応じた前記受付後変化の１つとしての第１受付後表示を実行可能であり、前記演出用図柄は、少なくとも該第１受付後表示が表示されている間、該第１受付後表示よりも優先表示され、
前記第２受付状態では、当該状態で受付けがなされると該受付けに応じた前記受付後変化の１つとしての第２受付後表示を実行可能であり、前記演出用図柄は、少なくとも該第２受付後表示が表示されている間、該第２受付後表示によって視認し難くされる態様で表示されるか、または非表示にされ、
前記第２受付状態における受付けに応じた前記第２受付後表示が表示されているなかで遊技者による所定操作の受付けがなされると、該受付けを契機として、前記第２受付後表示が非表示の状態にされうるようになっており、
前記第２受付状態は、特定ＢＧＭが可聴出力されているなかで発生する場合があるものであり、
さらに、
前記特定ＢＧＭが可聴出力されているなかで前記第２受付状態が発生する場合、該特定ＢＧＭは、当該第２受付状態が発生している途中で非可聴状態にされるようになっており、
さらに、
前記第２受付状態における受付けに応じた前記第２受付後表示が現れている状態では、遊技者による所定操作の対象となる対象物が画像として表現された摸画像表示が表示状態にある
ことを特徴とする遊技機。
【手続補正４】
【補正対象書類名】明細書
【補正対象項目名】０００８
【補正方法】削除
【補正の内容】
【誤訳訂正書】
【提出日】令和3年6月23日(2021.6.23)
【誤訳訂正１】
【訂正対象書類名】特許請求の範囲
【訂正対象項目名】全文
【訂正方法】変更
【訂正の内容】
【特許請求の範囲】
【請求項１】
気管瘻孔に開口するように適合された第１の開口部、及び周囲に開口する第２の開口部を有するハウジングと、
前記ハウジング内に配置され、前記第１の開口部及び前記第２の開口部のうち１つを閉鎖するように適合された閉鎖部材と、
前記閉鎖部材に接続された第１の領域、及び前記第１の領域から延在し前記ハウジングに接続された複数の脚部を含む可撓性膜であって、非変形状態において、前記複数の脚部は、前記第１の領域と同一面上にあって、前記第１の領域から径方向外向きに渦巻状に延伸し、自由端において終端する、可撓性膜と、
を備える、気管瘻孔弁。
【請求項２】
前記複数の脚部が、前記複数の脚部の一端の開口部内に固定された複数のペグのそれぞれによって前記ハウジングに接続されている、請求項１に記載の気管瘻孔弁。
【請求項３】
前記複数のペグのそれぞれが、前記ハウジング内の複数のポストのうちそれぞれの１つに配置されている、請求項２に記載の気管瘻孔弁。
【請求項４】
前記複数の脚部が、前記複数の脚部の一端の開口部内に固定された複数のペグのそれぞれによって前記ハウジングに接続されている、請求項１に記載の気管瘻孔弁。
【請求項５】
前記複数のペグのそれぞれが、前記ハウジング内の複数のポストのうちそれぞれの１つに配置されている、請求項４に記載の気管瘻孔弁。
【請求項６】
前記第１の開口部と前記第２の開口部との間の前記ハウジング内に配置された熱湿交換器を更に備える、請求項１に記載の気管瘻孔弁。
【請求項７】
前記ハウジングが、前記第１の開口部を画定する下側ハウジング部分、及び前記下側ハウジング部分に移動可能に取り付けられ、前記第２の開口部を画定する上側ハウジング部分を含む、請求項１に記載の気管瘻孔弁。
【請求項８】
前記可撓性膜が、前記ハウジングの前記下側ハウジング部分に接続されている、請求項７に記載の気管瘻孔弁。
【請求項９】
前記上側ハウジング部分が、前記下側ハウジング部分に対して軸方向に移動可能である、請求項７に記載の気管瘻孔弁。
【請求項１０】
前記複数の脚部が、前記ハウジング内に固定された外周リングに接続されている、請求項１に記載の気管瘻孔弁。
【請求項１１】
気管瘻孔に開口するように適合された第１の開口部、及び周囲に開口する第２の開口部を有するハウジングと、
前記ハウジング内に配置され、前記第２の開口部を閉鎖するように適合された閉鎖部材と、
前記閉鎖部材に接続された第１の領域、及び前記第１の領域から延在し、前記ハウジングに接続された複数の渦巻形状脚部を含む可撓性膜であって、非変形状態において、前記複数の渦巻形状脚部は、前記第１の領域と同一面上にあって、前記第１の領域から径方向外向きに渦巻状に延伸し、自由端において終端する、可撓性膜と、
を備える、気管瘻孔弁。
【請求項１２】
前記複数の渦巻形状脚部が、前記複数の渦巻形状脚部の一端の開口部の中で固定された複数のそれぞれのペグによって前記ハウジングに接続されている、請求項１１に記載の気管瘻孔弁。
【請求項１３】
前記複数のペグのそれぞれが、前記ハウジング内の複数のポストのうちそれぞれの１つに配置されている、請求項１２に記載の気管瘻孔弁。
【請求項１４】
前記第１の開口部と前記第２の開口部との間の前記ハウジング内に配置された熱湿交換器を更に備える、請求項１１に記載の気管瘻孔弁。
【請求項１５】
前記ハウジングが、前記第１の開口部を画定する下側ハウジング部分、及び前記下側ハウジング部分に移動可能に取り付けられ、前記第２の開口部を画定する上側ハウジング部分を含む、請求項１１に記載の気管瘻孔弁。
【請求項１６】
前記可撓性膜が、前記ハウジングの前記下側ハウジング部分に接続されている、請求項１５に記載の気管瘻孔弁。
【請求項１７】
前記上側ハウジング部分が、前記下側ハウジング部分に対して軸方向に移動可能である、請求項１５に記載の気管瘻孔弁。
【請求項１８】
前記複数の渦巻形状脚部が、前記ハウジング内に固定された外周リングに接続されている、請求項１１に記載の気管瘻孔弁。
【請求項１９】
気管瘻孔に開口するように適合された第１の開口部、及び周囲に開口する第２の開口部を有するハウジングであって、前記第１の開口部を画定する下側ハウジング部分、及び前記下側ハウジング部分に移動可能に取り付けられ、前記第２の開口部を画定する上側ハウジング部分を含む前記ハウジングと、
前記ハウジング内に配置され、前記第２の開口部を閉鎖するように適合された閉鎖部材と、
前記閉鎖部材に接続された第１の領域、及び前記第１の領域から延在し、前記ハウジングに接続された複数の渦巻形状脚部を含む可撓性膜であって、非変形状態において、前記複数の渦巻形状脚部は、前記第１の領域と同一面上にあって、前記第１の領域から径方向外向きに渦巻状に延伸し、自由端において終端する、可撓性膜と、
前記第１の開口部と前記第２の開口部との間の前記ハウジング内に配置された熱湿交換器と、
を備える、調節可能な気管瘻孔弁。
【誤訳訂正２】
【訂正対象書類名】明細書
【訂正対象項目名】０００７
【訂正方法】変更
【訂正の内容】
【０００７】
調節可能な気管瘻孔弁は、気管瘻孔に向かって開口するように適合された第１の開口部、及び周囲に向かって開口する第２の開口部を有するハウジングを含む。ハウジングは、第１の開口部を画定する下側ハウジング部分、及び下側ハウジング部分に移動可能に取り付けられ、第２の開口部を画定する上側ハウジング部分を含む。閉鎖部材がハウジング内に配置され、第２の開口部を閉鎖するように適合されている。可撓性膜は、閉鎖部材に接続された第１の領域、及び第１の領域から延在しハウジングに接続された複数の渦巻形状脚部を含む。上側ハウジング及び下側ハウジングは、閉鎖部材の閉鎖を引き起こす弁を通る空気流の量を調整するために、互いに対して軸方向に調整可能である。熱湿交換器は、第１の開口部と第２の開口部との間のハウジング内に配置されている。
【誤訳訂正３】
【訂正対象書類名】明細書
【訂正対象項目名】００２２
【訂正方法】変更
【訂正の内容】
【００２２】
閉鎖部材２２は、様々な材料から形成することができるディスクの形態である。閉鎖部材２２は、図６に最もよく示される可撓性膜２４の中央領域６０に接続されている。可撓性膜２４は、中央領域６０から延在する複数の脚部６２を含む。複数の脚部６２は、渦巻形状であることができ、また、可撓性膜２４を下側ハウジング１４のポスト３４に堅固に取り付けるために、熱かしめまたは他の方法で固定できるペグ３６を受け入れるように適合された開口部６４を有する遠位端部分を含むことができる。
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
属性が設定されている第１プレイヤオブジェクトをユーザが操作するゲームの進行を制御する機能をコンピュータに実現させるためのゲームプログラムであって、
前記コンピュータに、
第１の３次元仮想空間と少なくとも１の第２の３次元仮想空間とを含むゲームであって、第１の課題が前記第１の３次元仮想空間での実行のために設定され、少なくとも１の第２の課題が前記第２の３次元仮想空間での実行のために設定され、ユーザによる操作入力に基づいて、前記第１の課題の進行中に前記第２の課題が実行されるゲームを実行する実行機能、
ユーザによる操作入力に基づいて、前記第１の３次元仮想空間及び前記第２の３次元仮想空間における前記第１のプレイヤオブジェクトの動作を制御する制御機能、
を実現させ、
前記制御機能では、
前記第１の３次元仮想空間における前記第１の課題の進行中、前記設定属性に対応する第１の動作の実行を前記第１のプレイヤオブジェクトに許可し、前記非設定属性に対応する第２の動作の実行を前記第１のプレイヤオブジェクトに禁止し、また前記第１の３次元仮想空間における前記第１の課題の進行中、前記第２の動作の実行を前記非設定属性を有する少なくとも１の第２のプレイヤオブジェクトに許可する機能、
前記第２の３次元仮想空間における前記第２の課題の進行中、前記設定属性に対応する第１の動作の実行を前記第１のプレイヤオブジェクトに許可し、所定条件の成立に応じて前記非設定属性に対応する第２の動作の実行を前記第１のプレイヤオブジェクトに許可する機能、
を実現させ、
前記第１の動作は、前記ゲームにおける前記第１のプレイヤオブジェクトの前記設定属性に対して予め定められ、
前記第２の動作は、前記ゲームにおける前記第１のプレイヤオブジェクトの前記非設定属性に対して予め定められ、
前記第２の課題の進行中に実行が許可される前記非設定属性に対応する前記第２の動作は、前記ゲームの異なるプレイヤに対して異なるように設定される、
ゲームプログラム。
【請求項２】
前記所定条件は、前記第１プレイヤオブジェクトがアクションアイテムを使用したことを含み、
前記制御機能では、使用したアクションアイテムに対応する少なくとも１の動作の実行を許可する機能、
を実現させる請求項１に記載のゲームプログラム。
【請求項３】
前記コンピュータに、さらに、
前記第２の３次元仮想空間において前記第１プレイヤオブジェクトが取得した１以上の素材アイテムから、所定確率で前記アクションアイテムを生成する生成機能、
を実現させる請求項２に記載のゲームプログラム。
【請求項４】
前記第２の３次元仮想空間は、前記第１のプレイヤオブジェクトが達成すべき第２の課題を含む、
請求項１〜３のいずれかに記載のゲームプログラム。
【請求項５】
前記コンピュータに、さらに、
ユーザによる操作入力に基づいて、前記第１プレイヤオブジェクトの設定属性の設定を変更する設定機能、
を実現させる請求項１〜４のいずれかに記載のゲームプログラム。
【請求項６】
属性が設定されている第１プレイヤオブジェクトをユーザが操作するゲームを実行する端末装置と通信ネットワークにより接続されるサーバ装置に、該ゲームの進行を制御させるためのゲームプログラムであって、
前記コンピュータに、
第１の３次元仮想空間と少なくとも１の第２の３次元仮想空間とを含むゲームであって、第１の課題が前記第１の３次元仮想空間での実行のために設定され、少なくとも１の第２の課題が前記第２の３次元仮想空間での実行のために設定され、ユーザによる操作入力に基づいて、前記第１の課題の進行中に前記第２の課題が実行されるゲームを実行する実行機能、
ユーザによる操作入力に基づいて、前記第１の３次元仮想空間及び前記第２の３次元仮想空間における前記第１のプレイヤオブジェクトの動作を制御する制御機能、
を実現させ、
前記制御機能では、
前記第１の３次元仮想空間における前記第１の課題の進行中、前記設定属性に対応する第１の動作の実行を前記第１のプレイヤオブジェクトに許可し、前記非設定属性に対応する第２の動作の実行を前記第１のプレイヤオブジェクトに禁止し、また前記第１の３次元仮想空間における前記第１の課題の進行中、前記第２の動作の実行を前記非設定属性を有する少なくとも１の第２のプレイヤオブジェクトに許可する機能、
前記第２の３次元仮想空間における前記第２の課題の進行中、前記設定属性に対応する第１の動作の実行を前記第１のプレイヤオブジェクトに許可し、所定条件の成立に応じて前記非設定属性に対応する第２の動作の実行を前記第１のプレイヤオブジェクトに許可する機能、
を実現させ、
前記第１の動作は、前記ゲームにおける前記第１のプレイヤオブジェクトの前記設定属性に対して予め定められ、
前記第２の動作は、前記ゲームにおける前記第１のプレイヤオブジェクトの前記非設定属性に対して予め定められ、
前記第２の課題の進行中に実行が許可される前記非設定属性に対応する前記第２の動作は、前記ゲームの異なるプレイヤに対して異なるように設定される、
ゲームプログラム。
【請求項７】
属性が設定されている第１プレイヤオブジェクトをユーザが操作するゲームを実行する端末装置と、該端末装置と通信ネットワークにより接続されるサーバ装置と、を備えたゲームシステムであって、
第１の３次元仮想空間と少なくとも１の第２の３次元仮想空間とを含むゲームであって、第１の課題が前記第１の３次元仮想空間での実行のために設定され、少なくとも１の第２の課題が前記第２の３次元仮想空間での実行のために設定され、ユーザによる操作入力に基づいて、前記第１の課題の進行中に前記第２の課題が実行されるゲームを実行する実行手段、
ユーザによる操作入力に基づいて、前記第１の３次元仮想空間及び前記第２の３次元仮想空間における前記第１のプレイヤオブジェクトの動作を制御する制御手段、
を含み、
前記制御手段は、
前記第１の３次元仮想空間における前記第１の課題の進行中、前記設定属性に対応する第１の動作の実行を前記第１のプレイヤオブジェクトに許可し、前記非設定属性に対応する第２の動作の実行を前記第１のプレイヤオブジェクトに禁止し、また前記第１の３次元仮想空間における前記第１の課題の進行中、前記第２の動作の実行を前記非設定属性を有する少なくとも１の第２のプレイヤオブジェクトに許可し、
前記第２の３次元仮想空間における前記第２の課題の進行中、前記設定属性に対応する第１の動作の実行を前記第１のプレイヤオブジェクトに許可し、所定条件の成立に応じて前記非設定属性に対応する第２の動作の実行を前記第１のプレイヤオブジェクトに許可し、
前記第１の動作は、前記ゲームにおける前記第１のプレイヤオブジェクトの前記設定属性に対して予め定められ、
前記第２の動作は、前記ゲームにおける前記第１のプレイヤオブジェクトの前記非設定属性に対して予め定められ、
前記第２の課題の進行中に実行が許可される前記非設定属性に対応する前記第２の動作は、前記ゲームの異なるプレイヤに対して異なるように設定される、
ゲームシステム。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
複数枚の原稿を搬送する搬送手段と、
前記搬送手段によって搬送された前記複数枚の原稿を読み取る読み取り手段と、
画像データに基づいて印刷を実行する印刷手段と、
前記読み取り手段で前記複数枚の原稿が読み取られたことによって生成された画像データを記憶する第１の記憶手段と、
前記第１の記憶手段から読み出された画像データを記憶する第２の記憶手段とを有し、
１ページ分の読み取り処理の速度が、当該１ページ分の印刷処理の速度より早い印刷装置であって、
前記読み取り手段が前記複数枚の原稿を読み取って、当該読み取りによって生成された画像データに基づいて画像を用紙に印刷するコピー処理を前記印刷装置が正常に実行している状態で、
前記複数枚の原稿のうちの前半の原稿が読み取られることによって第１の画像データが生成され、前記第１の画像データは前記第１の記憶手段に記憶され、前記第２の記憶手段から前記第１の画像データが読み出されることなく、前記第１の記憶手段から読み出された前記第１の画像データに基づく画像を前記印刷手段が用紙に印刷し、
前記複数枚の原稿のうちの後半の原稿が読み取られることによって第２の画像データが生成され、前記第２の画像データは前記第２の記憶手段に記憶され、前記第２の記憶手段から読み出された前記第２の画像データは前記第１の記憶手段に記憶され、前記第１の記憶手段から読み出された前記第２の画像データに基づく画像を前記印刷手段が用紙に印刷することを特徴とする印刷装置。
【請求項２】
前記第２の記憶手段は、前記第１の記憶手段から読み出された画像データを圧縮することによって生成された画像データを記憶することを特徴とする請求項１に記載の印刷装置。
【請求項３】
前記第１の記憶手段から読み出された画像データを前記印刷手段に転送する処理と前記第２の記憶手段が前記第１の記憶手段から読み出された前記画像データを記憶する処理が並列に実行されることを特徴とする請求項１または２に記載の印刷装置。
【請求項４】
前記第２の記憶手段はＨＤＤであることを特徴とする請求項１乃至３の何れか１項に記載の印刷装置。
【請求項５】
前記第１の記憶手段は、第１の圧縮率で圧縮された画像データを記憶し、
前記第２の記憶手段は、前記第１の圧縮率より高い第２の圧縮率で圧縮された画像データを記憶することを特徴とする請求項１乃至４の何れか１項に記載の印刷装置。
【請求項６】
複数枚の原稿を搬送する搬送手段と、
前記搬送手段によって搬送された前記複数枚の原稿を読み取る読み取り手段と、
画像データに基づいて印刷を実行する印刷手段と、
前記読み取り手段で前記複数枚の原稿が読み取られたことによって生成された画像データを記憶する第１の記憶手段と、
前記第１の記憶手段から読み出された画像データを記憶する第２の記憶手段とを有し、
１ページ分の読み取り処理の速度が、当該１ページ分の印刷処理の速度より早い印刷装置の制御方法であって、
前記読み取り手段が前記複数枚の原稿を読み取って、当該読み取りによって生成された画像データに基づいて画像を用紙に印刷するコピー処理を前記印刷装置が正常に実行している状態で、
前記複数枚の原稿のうちの前半の原稿が読み取られることによって第１の画像データが生成され、前記第１の画像データは前記第１の記憶手段に記憶され、前記第２の記憶手段から前記第１の画像データが読み出されることなく、前記第１の記憶手段から読み出された前記第１の画像データに基づく画像を前記印刷手段が用紙に印刷し、
前記複数枚の原稿のうちの後半の原稿が読み取られることによって第２の画像データが生成され、前記第２の画像データは前記第２の記憶手段に記憶され、前記第２の記憶手段から読み出された前記第２の画像データは前記第１の記憶手段に記憶され、前記第１の記憶手段から読み出された前記第２の画像データに基づく画像を前記印刷手段が用紙に印刷することを特徴とする印刷装置の制御方法。
【手続補正２】
【補正対象書類名】明細書
【補正対象項目名】発明の名称
【補正方法】変更
【補正の内容】
【発明の名称】印刷装置、印刷装置の制御方法
【手続補正３】
【補正対象書類名】明細書
【補正対象項目名】０００１
【補正方法】変更
【補正の内容】
【０００１】
本発明は、シートに画像を印刷する印刷装置、印刷装置の制御方法に関する。
【手続補正４】
【補正対象書類名】明細書
【補正対象項目名】０００８
【補正方法】変更
【補正の内容】
【０００８】
上記目的を達成するために本発明の一態様に係る印刷装置は以下のような構成を備える。即ち、複数枚の原稿を搬送する搬送手段と、前記搬送手段によって搬送された前記複数枚の原稿を読み取る読み取り手段と、画像データに基づいて印刷を実行する印刷手段と、前記読み取り手段で前記複数枚の原稿が読み取られたことによって生成された画像データを記憶する第１の記憶手段と、前記第１の記憶手段から読み出された画像データを記憶する第２の記憶手段とを有し、１ページ分の読み取り処理の速度が、当該１ページ分の印刷処理の速度より早い印刷装置であって、前記読み取り手段が前記複数枚の原稿を読み取って、当該読み取りによって生成された画像データに基づいて画像を用紙に印刷するコピー処理を前記印刷装置が正常に実行している状態で、前記複数枚の原稿のうちの前半の原稿が読み取られることによって第１の画像データが生成され、前記第１の画像データは前記第１の記憶手段に記憶され、前記第２の記憶手段から前記第１の画像データが読み出されることなく、前記第１の記憶手段から読み出された前記第１の画像データに基づく画像を前記印刷手段が用紙に印刷し、前記複数枚の原稿のうちの後半の原稿が読み取られることによって第２の画像データが生成され、前記第２の画像データは前記第２の記憶手段に記憶され、前記第２の記憶手段から読み出された前記第２の画像データは前記第１の記憶手段に記憶され、前記第１の記憶手段から読み出された前記第２の画像データに基づく画像を前記印刷手段が用紙に印刷することを特徴とする。